(57)【要約】【課題】常時衝撃を検知していても省電力で済み、衝撃力やその方向をも記録できる衝撃記録装置及びこれを備えたカメラを提供する。【解決手段】衝撃を受けることにより発光する衝撃発光素子１と、衝撃発光素子１の光を受光する受光手段３と、受光手段３による受光結果を記録する記録手段５とを有する。衝撃発光素子１が衝撃によって発光すると、受光手段３が発光を検知し、その検知した信号を記録する。衝撃発光素子１の最大発光量及び発光時間によって、その衝撃力を記録する。【選択図】      図１
2006292949.tif 000002
【特許請求の範囲】
【請求項１】
衝撃を受けることにより発光する衝撃発光素子と、
前記衝撃発光素子の光を受光する受光手段と、
前記受光手段による受光結果を記録する記録手段とを有することを特徴とする衝撃記録装置。
【請求項２】
前記記録手段は前記衝撃発光素子の光の位置とともに前記衝撃発光素子の発光量を記録することを特徴とする請求項１に記載の衝撃記録装置。
【請求項３】
衝撃を受けることにより発光する衝撃発光素子と、
前記衝撃発光素子の光を受光する受光手段と、
前記受光手段による受光結果に基づいて衝撃の方向と衝撃力を演算する演算手段と、
前記演算手段の演算結果を記録する記録手段とを有することを特徴とする衝撃記録装置。
【請求項４】
前記演算手段は前記受光手段上の受光位置から衝撃方向を演算し、受光光量から衝撃力を演算することを特徴とする請求項３に記載の衝撃記録装置。
【請求項５】
前記受光手段は前記衝撃発光素子の光を受光し、電気信号に変換する光電変換素子であることを特徴とする請求項１〜４のいずれか１項に記載の衝撃記録装置。
【請求項６】
前記受光手段は前記衝撃発光素子の光を受光する感光フィルムであることを特徴とする請求項１〜４のいずれか１項に記載の衝撃記録装置。
【請求項７】
前記衝撃発光素子が、衝撃発光ＬＥＤであることを特徴とする請求項１〜６のいずれか１項に記載の衝撃記録装置。
【請求項８】
カメラボディ適所に請求項１〜７のいずれか１項に記載の衝撃記録装置を備えたことを特徴とするカメラ。
【発明の詳細な説明】
【技術分野】
【０００１】
本発明は、カメラ等の装置に備えられる衝撃記録装置に関するものである。
【背景技術】
【０００２】
従来より、カメラに加えられた衝撃と日時情報を合わせて記憶手段によって記憶しておくことにより、カメラが故障した時の原因究明に役立てるといったのカメラが種々提案されている。
また、衝撃がカメラに加わったことで、撮影用フィルムの磁気記録部の撮影情報を変更し、衝撃が加わったことを知らしめる。そして、衝撃が加えられたカメラでの撮影を防止して、ユーザーが不用意な撮影動作を行うことのないようにしたカメラもある（例えば、特許文献１参照）。
【０００３】
【特許文献１】特開２０００−２５８８３５号公報
【発明の開示】
【発明が解決しようとする課題】
【０００４】
しかしながら、従来例では衝撃を検知するために、常時衝撃を検知するための装置を起動させておく必要がある。そのために電力を常に使用しているため、省電力的には不利であった。また、装置内部の各回路等の故障原因を推定する上で、衝撃が加えられた方向や、その衝撃力の大きさは重要であり、従来の方法ではこれらを記録することは考えられていなかった。
【０００５】
そこで、本発明の目的は、常時衝撃を検知していても省電力で済み、衝撃力やその方向をも記録できる衝撃記録装置及びこれを備えたカメラ等の装置を提供することである。
【課題を解決するための手段】
【０００６】
本発明による衝撃記録装置は、衝撃を受けることにより発光する衝撃発光素子と、前記衝撃発光素子の光を受光する受光手段と、前記受光手段による受光結果を記録する記録手段とを有することを特徴とする。
【０００７】
また、本発明の衝撃記録装置は、衝撃を受けることにより発光する衝撃発光素子と、前記衝撃発光素子の光を受光する受光手段と、前記受光手段による受光結果に基づいて衝撃の方向と衝撃力を演算する演算手段と、前記演算手段の演算結果を記録する記録手段とを有することを特徴とする。
【発明の効果】
【０００８】
本発明によれば、衝撃を記録するために衝撃発光ＬＥＤを使用することにより、省電力で衝撃を記録することが可能となり、また複数の衝撃発光ＬＥＤを設けることで、衝撃の方向も検知できるようになる。
【０００９】
また、受光素子を使用せず、受光素子の替わりに感光フィルムを使用する。これにより装置が故障した際、感光フィルムを取り出し、解析することによってまったく電力を使用せずに、加わった衝撃力や衝撃が加えられた方向を記録することが可能となる。
【発明を実施するための最良の形態】
【００１０】
以下、図面に基づき、本発明による衝撃記録装置及びこれを備えたカメラにおける好適な実施の形態を説明する。
図１〜図４は、本発明に係る実施形態を示すものである。図１は衝撃記録装置が衝撃を受けていない初期状態を示す詳細図、図２は衝撃検知ユニットが図下方向から衝撃を受け、圧電素子の起電力によってＬＥＤを発光させる衝撃発光ＬＥＤが発光している状態を示す詳細図、図３は衝撃検知ユニットが図上方向から衝撃を受け、衝撃発光ＬＥＤが発光している状態を示す詳細図、図４は衝撃検知ユニットがカメラ本体に複数取り付けられている状態を示す断面図である。
【００１１】
図１において、衝撃発光ＬＥＤ１及び衝撃部材２は、ＬＥＤ及び衝撃部材収納室４の中でそれぞれ上下に摺動可能であり、それぞれ衝撃発光ＬＥＤクリック部１ｂと衝撃部材クリック部２ａによって、動きが抑制されている。なお、衝撃発光ＬＥＤ１及び衝撃部材２には、クリック部１ｂ，２ｂとそれぞれ適度な力量で係合し合う係合部が凹設される。また、受光部３は上下どちらの位置で受光したかが分かるようになっており、衝撃発光ＬＥＤ１の発光部１ａの光が、ＬＥＤ発光用窓４ａを通ってくる位置に配置されている。さらに、受光部３が光を受光すると、この光量を電圧に変換し、記録回路５がこれを記録する。
【００１２】
図２において、装置が図の下方向からの衝撃を受け、その衝撃がある程度以上の場合、衝撃発光ＬＥＤ１及び衝撃部材２はそれぞれ衝撃発光ＬＥＤクリック部１ｂと衝撃部材クリック部２ａを乗り越える。そして、衝撃部材２がＬＥＤ及び衝撃部材収納室４の壁に当たり、さらに衝撃発光ＬＥＤ１は衝撃部材２に衝突する。この衝撃により衝撃発光ＬＥＤ１内の圧電素子が起電力を発生してＬＥＤ発光部１ａが発光し、ＬＥＤ発光用窓４ａを通って受光部３に照射され、受光部３は光を検知し、この光量と位置を電圧に変換し、記録回路５がこれを記録する。
【００１３】
また、図３において図２とは逆に、装置そのものが図の上方向からの衝撃を受け衝撃発光ＬＥＤ１及び衝撃部材２は、それぞれ衝撃発光ＬＥＤクリック部１ｂと衝撃部材クリック部２ａを乗り越える。そして、衝撃発光ＬＥＤ１に衝撃部材２が衝突している。図２と図３では装置に衝撃が加わる方向が異なるため、受光部３が受光する位置が異なり、この光量と位置を電圧に変換し、記録回路５がこれを記録する。これによって装置に対してのどちらの方向からどの程度の衝撃が加えられたのかが記録される。なお、受光部３の受光状態から衝撃方向と衝撃力を演算する演算回路を設け、その演算結果を記録回路５に記録してもよい。
【００１４】
図４は、衝撃検知ユニットが、ＸＹＺそれぞれの方向に合わせて配置されている様子を示している。すなわち、図４においてカメラ本体６に、Ｘ方向衝撃検知ユニット１１、Ｙ方向衝撃検知ユニット１２、Ｚ方向衝撃検知ユニット１３がそれぞれ衝撃発光ＬＥＤ１及び衝撃部材２の摺動方向と平行になるように配置されている。
【００１５】
カメラ本体６に衝撃が加わると、ＸＹＺそれぞれの方向用の衝撃検知ユニットが、それぞれの方向の衝撃力と±方向を検知し、それぞれの衝撃検知ユニットからの出力に基づいて３次元での衝撃力と方向を演算回路にて計算し、記録回路にて記録する。これによりカメラ本体に加わった衝撃の正確な方向と衝撃力を記録し、カメラのどういった故障の原因になったかを知ることができるようになる。
【００１６】
次に、本発明の第２の実施形態を図５に基づいて説明する。
図５は本発明に係る第２の実施形態を示すものであり、衝撃発光ＬＥＤが２次元受光部３１に対して２次元的に配置されている状態を示す正面図である。
【００１７】
図５において、衝撃発光ＬＥＤ１は、ＬＥＤ収納室４の中で、上下に摺動可能であり、衝撃発光ＬＥＤクリック部１ｂによって、動きが抑制されている。また、２次元受光部３１は平面のどの位置で受光したかが分かるようになっており、複数の衝撃発光ＬＥＤ１の発光部１ａからの光を全て受けるように配置されている。さらに、２次元受光部３１が衝撃発光ＬＥＤ１の光を受光すると、この光量を電圧に変換し、２次元記録回路５１がこれを記録する。
【００１８】
図５において、装置が図の上方向からの衝撃を受け、その衝撃がある程度以上の場合、衝撃発光ＬＥＤ１は衝撃発光ＬＥＤクリック部１ｂを乗り越えて、ＬＥＤ収納室４の壁に当たる。この衝撃により衝撃発光ＬＥＤ１のＬＥＤ発光部１ａが発光する。ＬＥＤ発光用窓４ａを通って２次元受光部３１に照射され、２次元受光部３１は光を検知し、この光量と位置を電圧に変換し、２次元記録回路５１がこれを記録する。
【００１９】
図５では、衝撃発光ＬＥＤ１がＬＥＤ収納室４に収納されているものが上下左右にそれぞれ１セットずつ配置されており、上下左右斜めの方向から衝撃が加わると、このうちの１つ又は２つの衝撃発光ＬＥＤが発光することになる。これを２次元受光部３１がその位置と発光量を検知し、２次元記録回路５１がこれを記録し、２次元での衝撃力と方向を計算する。これによりカメラ本体に加わった衝撃の正確な方向と衝撃力を記録し、カメラのどういった故障の原因になったかを知ることができるようになる。
【００２０】
上記２つの例では受光部３とそれを記録する記録回路５は別のものとしたが、受光部に感光フィルム等を使用すると感光フィルム自体が感光することで、衝撃が記録される。
特にこの場合は電源が不必要なので、電池等が外されていても、カメラに加わった衝撃を記録することができ、カメラのどういった故障の原因になったかを知ることができるようになる。
【００２１】
以上本発明の実施形態について説明したが、本発明は上記実施形態にのみ限定されるものではなく、本発明の範囲内で適宜変更等が可能である。
たとえば、本発明をカメラに適用した例を説明したが、それに限らず、衝撃が加わる可能性のあるもの全てに利用可能である。
【図面の簡単な説明】
【００２２】
【図１】本発明の第１の実施形態における衝撃記録装置が衝撃を受けていない初期状態を詳細に示す図である。
【図２】本発明の第１の実施形態における衝撃記録装置が図下方向から衝撃を受け、衝撃発光ＬＥＤが発光している状態を詳細に示す図である。
【図３】本発明の第１の実施形態における衝撃記録装置が図上方向から衝撃を受け、衝撃発光ＬＥＤが発光している状態を詳細に示す図である。
【図４】本発明の第１の実施形態における衝撃検知ユニットがカメラ本体に複数取り付けられている状態を示す断面図である。
【図５】本発明の第２の実施形態における衝撃発光ＬＥＤが受光部に対して２次元的に配置されている状態を示す正面図である。
【符号の説明】
【００２３】
１    衝撃発光ＬＥＤ
１ａ  ＬＥＤ発光部
１ｂ  衝撃発光ＬＥＤクリック部
１１  Ｘ方向衝撃検知ユニット
１２  Ｙ方向衝撃検知ユニット
１３  Ｚ方向衝撃検知ユニット
２    衝撃部材
２ａ  衝撃部材クリック部
３    受光部
３１  ２次元受光部
４    ＬＥＤ及び衝撃部材収納室
４ａ  ＬＥＤ発光用窓
５    記録回路
５１  ２次元記録回路
６    カメラ本体
【図１】
2006292949.tif 000003
【図２】
2006292949.tif 000004
【図３】
2006292949.tif 000005
【図４】
2006292949.tif 000006
【図５】
2006292949.tif 000007